(57)【要約】【課題】貨物自動車又はトレーラーの荷台に載せて、商売を行う場所まで移動し、設置して商売を行うことが可能な移動式店舗を提供する。【解決手段】短辺が貨物自動車又はトレーラーの荷台の幅の８０〜１００％となって、その上面には床板材１８が配置された床枠体１９と、床枠体１９の周囲に配置された水平床部材１２〜１５に立設された少なくとも４以上の柱部材２０〜２９と、柱部材２０〜２９に支持され、上部に屋根板材２９ｂが張設された天井枠体３０とを有し、天井枠体３０の前後に設けられている水平天井部材３２、３３の両側部を除く中間位置には一定の距離を設けて左右対称に、移動式店舗１０を吊り上げる場合に使用する４個の吊り金具３９〜４２が設けられ、床枠体１９の周囲には、ベース板５２とその上に立設されたジャッキねじ５３が嵌入する複数の筒状部材４６が固着されている。【選択図】        図１
2004183398.tif 000002
【特許請求の範囲】
【請求項１】
貨物自動車又はトレーラーの荷台に載せて、商売を行う場所まで移動し、設置して商売を行うことが可能な移動式店舗であって、
短辺が前記荷台の幅の８０〜１００％となって、その上面には床板材が配置された床枠体と、前記床枠体の周囲に配置された水平床部材に立設された少なくとも４以上の柱部材と、前記柱部材に支持され、上部に屋根板材が張設された天井枠体とを有し、
前記天井枠体の前後に設けられている水平天井部材の両側部を除く中間位置には一定の距離を設けて左右対称に、該移動式店舗を吊り上げる場合に使用する４個の吊り金具が設けられ、
前記床枠体の周囲には、ベース板とその上に立設されたジャッキねじが嵌入する複数の筒状部材が固着されていることを特徴とする移動式店舗。
【請求項２】
請求項１記載の移動式店舗において、前記水平床部材、前記柱部材及び前記水平天井部材で囲まれる該移動式店舗の正面の一部又は全部にはシャッター装置が設けられ、該シャッター装置の巻き上げたシャッターを格納するシャッターボックスが該移動式店舗の内側正面の上部に設けられていることを特徴とする移動式店舗。
【請求項３】
請求項１及び２のいずれか１項に記載の移動式店舗において、前記床枠体の短辺側の外側部には、冷房装置の室外機を載置可能な架台が設けられていることを特徴とする移動式店舗。
【請求項４】
請求項１〜３のいずれか１項に記載の移動式店舗において、該移動式店舗内で使用する水道配管及び電気配線を備え、それぞれの接続端子が該移動式店舗の外部に設けられていることを特徴とする移動式店舗。
【請求項５】
請求項１〜４のいずれか１項に記載の移動式店舗において、商品を並べる商品陳列棚が前記床枠体に固定されていることを特徴とする移動式店舗。
【発明の詳細な説明】
【０００１】
【発明の属する技術分野】
本発明は、貨物自動車又はトレーラーの荷台に載せて、商売を行う場所まで移動し、設置して商売を行うことが可能な移動式店舗に関する。
【０００２】
【従来の技術】
従来の移動式店舗は、１０ｍ２  以下の床面積を有する略直方体でプレハブ構造のハウス本体を平面状の地盤上にアンカーボルトで固定した簡易据え付け型小規模店舗が知られている（例えば、特許文献１参照）。
【０００３】
【特許文献１】
特開２００１−２７１５０３公報
【０００４】
【発明が解決しようとする課題】
しかしながら、前記従来の移動式店舗は未だ解決すべき以下のような問題があった。
特許文献１記載の簡易据え付け型小規模店舗は  商売を行う場所で、アンカーボルトを地面に埋め込まなければならず、アスファルト、コンクリート等に孔を空けなければならなかった。従って、簡易据え付け型小規模店舗を他の場所に移設した際に、アスファルト、コンクリート等に穿設された孔を元に戻さなければならなかった。
【０００５】
本発明はかかる事情に鑑みてなされたもので、貨物自動車又はトレーラーの荷台に載せて、商売を行う場所まで移動し、設置して商売を行うことが可能な移動式店舗を提供することを目的とする。
【０００６】
【課題を解決するための手段】
前記目的に沿う本発明に係る移動式店舗は、貨物自動車又はトレーラーの荷台に載せて、商売を行う場所まで移動し、設置して商売を行うことが可能な移動式店舗であって、短辺が荷台の幅の８０〜１００％となって、その上面には床板材が配置された床枠体と、床枠体の周囲に配置された水平床部材に立設された少なくとも４以上の柱部材と、柱部材に支持され、上部に屋根板材が張設された天井枠体とを有し、天井枠体の前後に設けられている水平天井部材の両側部を除く中間位置には一定の距離を設けて左右対称に、移動式店舗を吊り上げる場合に使用する４個の吊り金具が設けられ、床枠体の周囲には、ベース板とその上に立設されたジャッキねじが嵌入する複数の筒状部材が固着されている。
【０００７】
床枠体の短辺、つまり移動式店舗の幅が荷台の幅の８０〜１００％であるので、移動式店舗を貨物自動車又はトレーラーにより商売を行う場所まで輸送することができると共に、移動式店舗内で商売を行うスペースを広く取ることができる。また、移動式店舗を吊り上げる場合に使用する４個の吊り金具が、所定の位置に設けられているので、移動式店舗を吊り上げる際に、天井枠体の撓みを小さくすることができると共に、小さな強度で天井枠体を形成でき、天井枠体の重量を軽くすることができる。更に、床枠体の周囲には、複数の筒状部材が固着されているので、移動式店舗を設置する地面が水平面でなくても、それぞれの筒状部材の高さを調節することにより、床枠体を水平位置に保つことができると共に、基礎工事を必要としない。
【０００８】
本発明に係る移動式店舗において、水平床部材、柱部材及び水平天井部材で囲まれる移動式店舗の正面の一部又は全部にはシャッター装置が設けられ、シャッター装置の巻き上げたシャッターを格納するシャッターボックスを移動式店舗の内側正面の上部に設けてもよい。これによって、移動式店舗を移動する際には、シャッターボックスが荷台からはみ出すことがなく、道路を移動することができる。
本発明に係る移動式店舗において、床枠体の短辺側の外側部には、冷房装置の室外機を載置可能な架台を設けてもよい。これによって、床枠体の短辺側に架台が設けられているので、荷台の幅方向には移動式店舗が突出せず、道路を通行することができる。
【０００９】
本発明に係る移動式店舗において、移動式店舗内で使用する水道配管及び電気配線を備え、それぞれの接続端子を移動式店舗の外部に設けてもよい。これによって、移動式店舗を商売する場所に設置した際には、移動式店舗の外部に設けられた水道配管及び電気配線の接続端子をそれぞれ水道管から引いたフレキシブルホース、電線に接続するだけで、すぐに水道及び電気の供給が可能となる。
本発明に係る移動式店舗において、商品を並べる商品陳列棚を床枠体に固定することもできる。これによって、移動式店舗を商売をする場所に設置して、商品陳列棚に商品を並べるだけですみ、すぐに商売を始めることができる。また、商品が常温で保存可能な場合等には、移動式店舗を商売をする場所に移動する前に、予め商品陳列棚に商品を並べておいてもよく、温度管理が必要な商品の場合でも、貨物自動車又はトレーラーに載せたまま、温度管理が可能なように電源が確保できるならば、予め商品陳列棚に商品を並べておくことができる。
【００１０】
【発明の実施の形態】
続いて、添付した図面を参照しつつ、本発明を具体化した実施の形態につき説明し、本発明の理解に供する。
ここで、図１は本発明の一実施の形態に係る移動式店舗の説明図、図２は同移動式店舗の床枠体の平面図、図３は同移動式店舗の骨組みを示す正面図、図４は同移動式店舗の骨組みを示す背面図、図５（Ａ）、（Ｂ）はそれぞれ同移動式店舗の骨組みを示す左側面図、右側面図、図６は同移動式店舗の天井枠体の平面図、図７は同移動式店舗の正面図、図８は同移動式店舗の背面図、図９は同移動式店舗の側面図、図１０は図７のＡ−Ａ断面図、図１１は同移動式店舗の平断面図、図１２は同移動式店舗の吊り金具の説明図、図１３（Ａ）は同移動式店舗のベース板及び筒状部材の説明図、（Ｂ）は同移動式店舗の筒状部材の説明図である。
【００１１】
図１〜図１３を参照して、本発明の一実施の形態に係る移動式店舗１０を説明する。
移動式店舗１０は、貨物自動車又はトレーラーの荷台に載せて、商売を行う場所まで移動し、設置して商売を行うことが可能な店舗であり、移動式店舗１０の短辺は、荷台の幅の８０〜１００％に形成され、移動式店舗１０の長辺は、荷台の長さ以下に形成されている。
日本の道路においては道路交通法、道路交通法施行令等において、貨物自動車に積載する積載物の長さ、幅、高さは、以下のように決められている。
イ．長さは、自動車の長さにその長さの十分の一の長さを加えたもの以下である。積載物を含む自動車の全長は、普通貨物自動車が１２ｍ以内である。高速道路においては、セミトレーラー及びフルトレーラーの積載物を含む自動車の全長は、それぞれ１６．５ｍ、１８ｍ以下である。
ロ．幅は、自動車の幅以下である。全幅は、２．５ｍ以内である。
ハ．高さは、３．８ｍからその自動車の積載する場所の高さを減じたものである。
従って、移動式店舗１０はイ〜ハの制限内において、構成される。
本実施の形態の移動式店舗１０は、幅２．５ｍ、長さ７ｍ、及び高さ２．５ｍに形成している。
【００１２】
図２に示すように、移動式店舗１０は、４本のＨ形鋼材の平面側を上下に配置して矩形に形成された床枠１１を有している。床枠１１は、移動式店舗１０の正面側（前）、背面側（後）にそれぞれ配置される同じ長さの長辺の水平床部材１２、１３と左右の側壁側にそれぞれ配置される同じ長さの短辺の水平床部材１４、１５から形成されている。
床枠１１内の中央には、床枠１１を補強するために、短辺方向（図２中、縦方向）に床枠１１の内寸と実質的に等しい長さの梁１６、１６ａが、所定の間隔を有して水平床部材１２、１３の中間位置に設けられている。更に、長辺方向（図２中、横方向）には、水平床部材１４と梁１６との間、及び梁１６と梁１６ａとの間、並びに梁１６ａと水平床部材１５との間に、水平床部材１４の中央部から水平床部材１５の中央部へ直線となるようにそれぞれ大引１６ｂ〜１６ｄを有している。
更に、水平床部材１４から水平床部材１５の間には、水平床部材１４、水平床部材１５と平行に配置され、所定の間隔で設けられた複数、例えば５２本の根太１７を有している。根太１７の上部には床板材１８が配置されている（図１１参照）。なお、床枠１１、梁１６、１６ａ、大引１６ｂ〜１６ｄ、根太１７及び仮想線で図２に入れている床板材１８により床枠体１９が形成されている。
【００１３】
図３、図４、図５（Ａ）、（Ｂ）に示すように、床枠体１９の周囲に配置された水平床部材１２〜１５には、４以上、例えば１０本の柱部材２０〜２９が立設されている。すなわち、床枠１１の４隅の角には４本の柱部材２０〜２３が立設され、水平床部材１２、１３の両側部を除く中間位置には一定の距離を設けて左右対称にそれぞれ２本の柱部材２４〜２７が立設されている。更に、水平床部材１２と水平床部材１３には、柱部材２０と２４との間、柱部材２３と２７との間にそれぞれ１本の柱部材２８、２９が立設されている。水平床部材１２に立設される正面側の４本の柱部材２０、２１、２４、２５、２８は同じ長さに形成され、また、水平床部材１３に立設される背面側の５本の柱部材２２、２３、２６、２７、２９は同じ長さに形成されている。更に、正面側の柱部材２０、２１、２４、２５、２８は、背面側の柱部材２２、２３、２６、２７、２９よりも長く形成されている。
更に、柱部材２０〜２９のそれぞれ隣合う柱部材の間には、壁を取付けるために１又は複数の胴縁２９ａが設けられている。例えば、図４に示すように、柱部材２２と柱部材２６の間には、水平方向に所定の間隔で胴縁２９ａが５本設けられている。
【００１４】
図６に示すように、移動式店舗１０には、柱部材２０〜２９に支持され、上部に屋根板材２９ｂ（図７参照）が張設された天井枠体３０が設けられている。天井枠体３０は、平面視して床枠１１と実質的に同じ大きさの天井枠３１を有している。また、天井枠３１は平面視して水平床部材１２〜１５に対応した位置に水平天井部材３２〜３５を有している。
また、柱部材２４〜２７で支えられている位置には、長辺側の水平天井部材３２、３３の内側に梁３６、３７が設けられている。更に、水平天井部材３２、３３と平行に、水平天井部材３４と梁３６との間、及び梁３６と梁３７との間、並びに梁３７と水平天井部材３５との間には、それぞれ所定の間隔で設けられた複数、例えば４本ずつの母屋３８、３８ａ、３８ｂが設けられている。
更に、水平天井部材３２〜３５の上部には、屋根板材２９ｂが張設されている。なお、柱部材２０、２１、２４、２５、２８は柱部材２２、２３、２６、２７、２９よりも長く形成されているので、屋根板材２９ｂは、正面側から背面側に下方に傾斜するように配置される。
【００１５】
図６に示すように、天井枠体３０の前後に設けられている水平天井部材３２、３３の両側部を除く中間位置には一定の距離を設けて左右対称に、移動式店舗１０をクレーン等で吊り上げる場合に使用する４個の吊り金具３９〜４２が設けられている。吊り金具３９〜４２の取付けられる位置は、水平天井部材３２、３３の下部に配置されている柱部材２４〜２７の直上位置に設けられている。
図１２に示すように、吊り金具３９（吊り金具４０〜４２も同様）は、下部に柱部材２４が位置する水平天井部材３２の上部に吊り金具３９の取付部４３を固着し、取付部４３には、クレーンのフックを掛けるフック孔４４を有するプレート４５が、吊り金具３９〜４２の中心方向に向かって斜めに取付けられている。なお、吊り金具４０〜４２の各プレート４５は吊り金具３９のプレート４５と同様に、吊り金具３９〜４２の中心方向に向かって斜めに取付けられている。
【００１６】
図１３（Ａ）、（Ｂ）を参照して、床枠体１９の周囲に固着する筒状部材４６を説明する。筒状部材４６は床枠１１を形成するＨ形鋼材にボルト４６ａにより、取付けるための複数、例えば４の取付孔４７、４８を有する取付部４９と、取付部４９に一体に形成される筒状部５０を有している。筒状部５０に軸方向に穿設された孔５１には、ベース板５２上に立設されたジャッキねじ５３が嵌入される。ジャッキねじ５３には、筒状部材４６の設置する高さを調節するためのストッパーとして二重ボルト５４で固着されている。二重ボルト５４で筒状部材４６の取付け高さを調節できるので、移動式店舗１０の設置場所が水平でなくても、移動式店舗１０の床を水平位置にすることができる。
なお、筒状部材４６は、床枠体１９の周囲に少なくとも４つ以上固着される。本実施の形態では、床枠体１９の４隅及び柱部材２４、２７の直下の床枠体１９に６つ取付けている（図１、図１１参照）。
【００１７】
次に、図７〜図１１を参照して、移動式店舗１０の外装及び内装について説明する。移動式店舗１０の正面、背面、左右両側面にはそれぞれ壁板５５〜５８が配設されている。
図７、図１０に示すように、移動式店舗１０の正面には、壁板５５、引違い戸５９、及びシャッター装置６０、６１が設けられている。
シャッター装置６０、６１は、水平床部材１２と水平天井部材３２に囲まれる移動式店舗１０の正面のそれぞれ柱部材２４と柱部材２５との間、柱部材２５と柱部材２１との間に配置され、それぞれの間を閉鎖するシャッター６２、６３、及びシャッター６２、６３をそれぞれ巻き上げて格納するシャッターボックス６４、６５を有している。また、シャッターボックス６４、６５はそれぞれ移動式店舗１０の内側正面の上部に設けられている。
壁板５５は、角波形板の鉄板で形成され、ボルトにより柱部材、胴縁に固着される。なお、壁板５６〜５８も同様にボルトにより柱部材、胴縁に固着され、更に、壁板５７、５８は壁板５５と同様の角波形板の鉄板で形成されている。
【００１８】
図８に示すように、移動式店舗１０の背面は、壁板５６を取付けている。移動式店舗１０の屋根板材２９ｂは背面側に下るように配設されているので、雨が降った場合には、屋根に落ちた雨水は、背面側に流れる。したがって、背面の壁板は通常では屋根を構成する屋根材を使用している。壁板５６は、雨水が移動式店舗１０の内部に進入しないように、鉄板を平はぜ構造として、横葺きに配置している。なお、壁板５６は立はぜ構造としてもよい。
図９に示すように、移動式店舗１０の右側面は、全体を角波形板の鉄板で形成された壁板５８がボルトにより柱部材及び胴縁に固着されている。
図１１に示すように、移動式店舗１０の左側面はガラス窓６６を有する角波形板の鉄板で形成された壁板５７が配設されている。
【００１９】
また、移動式店舗１０の内装は、床はクッションフロアーで形成された床板材１８が配置され、四方の内壁及び天井にはそれぞれ、ホワイトウッド、ジプトーンで形成された内壁板６７及び天井板６８が配置されている。また、床板材１８上には、移動式店舗１０で売る商品を陳列する商品陳列棚の一例である冷凍陳列台６９が固定されている。更に、内壁に商品等を陳列する棚を設けてもよい。
また、図７に示すように、移動式店舗１０内には室内の冷暖房を行う冷暖房機７０を備えている。更に、冷暖房機７０の室外機７０ａを載置可能な架台７１が右側壁側に床枠１１の水平床部材１５に取付けられている。
また、移動式店舗１０で使用する水道の配管や電気の配線等は移動式店舗１０の外壁と内壁内を通すと外観が綺麗であるので好ましい。更に、それらの配管、配線の接続端子は、移動式店舗１０の外部に設けているので、移動式店舗１０の外部の水道管から引いたフレキシブルホースや電線を接続端子に繋ぐだけで水道及び電気を使用することができる。
【００２０】
次に、移動式店舗１０の設置方法について説明する。
移動式店舗１０は、外装及び内装が施された状態で、貨物自動車（又はトレーラーでもよい）の荷台に載せて商売を行う場所まで輸送される。なお、冷暖房機７０（冷房装置でもよい）の室外機７０ａも架台７１に載置されている。まず、移動式店舗１０の４つの吊り金具３９〜４２のそれぞれのフック孔４４にクレーンのフックを掛け、持ち上げて貨物自動車の荷台に載せ、商売を行う場所に移動する。
再び、クレーンのフックを４つの吊り金具３９〜４２の各フック孔４４に掛け、地面に下ろす。地面が水平でない場合には、移動式店舗１０は傾いてしまうので、移動式店舗１０を完全に下ろす前に、筒状部材４６の二重ボルト５４を調整して、筒状部材４６の取付け高さを移動式店舗１０が水平になるようにする。以上で移動式店舗１０の設置は完了する。
更に、水道配管及び電気配線の接続端子をそれぞれ水道管から引いたフレキシブルホース、電線に接続する。冷凍陳列台６９が冷却されたら、商品を冷凍陳列台６９に配置すると、すぐに商売が始められる。
また、本実施の形態では、図１、図７、図９、図１０に示すように、移動式店舗１０の正面に雨や日光を遮るテント７２や看板７３を、移動式店舗１０の設置後に取付けている。
【００２１】
本発明は、前記した実施の形態に限定されるものではなく、本発明の要旨を変更しない範囲での変更は可能であり、例えば、前記した実施の形態や変形例の一部又は全部を組み合わせて本発明の移動式店舗を構成する場合も本発明の権利範囲に含まれる。
例えば、前記実施の形態の移動式店舗は、貨物自動車又はトレーラーの荷台に載せて移動可能であり、外装及び内装を施した移動式店舗をクレーンで吊っても壊れない強度を持つものであればよい。
また、前記実施の形態の移動式店舗において、移動式店舗はボルトでの固着により組み立てたが、溶接でもよい。
冷暖房機の室外機の架台は移動式店舗の右側面に設けたが、左側面でもよく、正面や背面に移動式店舗の設置後に取付けてもよい。
また、柱部材、筒状部材、梁、母屋、胴縁、シャッター等の数もこれに限定されない。水道配管や電気配線の他にガス配管や電話回線を設けてもよい。
【００２２】
【発明の効果】
請求項１〜５記載の移動式店舗においては、短辺が荷台の幅の８０〜１００％となって、天井枠体の前後に設けられている水平天井部材の両側部を除く中間位置には一定の距離を設けて左右対称に、移動式店舗を吊り上げる場合に使用する４個の吊り金具が設けられ、床枠体の周囲には、ベース板とその上に立設されたジャッキねじが嵌入する複数の筒状部材が固着されているので、移動式店舗を組み立てたまま道路輸送が可能である。また、所定の位置に設けられた４個の吊り金具により、移動式店舗を吊り上げる際の天井枠体の撓みを小さくすることができると共に、小さな強度で天井枠体を形成でき、天井枠体の重量を軽くすることができる。更に、複数の筒状部材が床枠体の周囲に固着されているので、移動式店舗を設置する地面が水平面でなくても、それぞれの筒状部材の高さを調節することにより、床枠体を水平位置に保つことができると共に、基礎工事を必要としない。
【００２３】
特に、請求項２記載の移動式店舗においては、水平床部材、柱部材及び水平天井部材で囲まれる移動式店舗の正面の一部又は全部にはシャッター装置が設けられ、シャッター装置の巻き上げたシャッターを格納するシャッターボックスが移動式店舗の内側正面の上部に設けられているので、シャッターボックスが荷台からはみ出すことがなく、道路を移動することができる。
請求項３記載の移動式店舗においては、床枠体の短辺側の外側部には、冷房装置の室外機を載置可能な架台が設けられているので、荷台の幅方向には移動式店舗が突出せず、道路を通行することができる。
【００２４】
請求項４記載の移動式店舗においては、移動式店舗内で使用する水道配管及び電気配線を備え、それぞれの接続端子が移動式店舗の外部に設けられているので、移動式店舗を商売する場所に設置した際には、移動式店舗の外部に設けられた水道配管及び電気配線の接続端子をそれぞれ水道管から引いたフレキシブルホース、電線に接続するだけで、すぐに水道及び電気の供給が可能となる。
請求項５記載の移動式店舗においては、商品を並べる商品陳列棚が床枠体に固定されているので、移動式店舗を商売をする場所に設置して、商品陳列棚に商品を並べるだけですみ、すぐに商売を始めることができる。
【図面の簡単な説明】
【図１】本発明の一実施の形態に係る移動式店舗の説明図である。
【図２】同移動式店舗の床枠体の平面図である。
【図３】同移動式店舗の骨組みを示す正面図である。
【図４】同移動式店舗の骨組みを示す背面図である。
【図５】（Ａ）、（Ｂ）はそれぞれ同移動式店舗の骨組みを示す左側面図、右側面図である。
【図６】同移動式店舗の天井枠体の平面図である。
【図７】同移動式店舗の正面図である。
【図８】同移動式店舗の背面図である。
【図９】同移動式店舗の側面図である。
【図１０】図７のＡ−Ａ断面図である。
【図１１】同移動式店舗の平断面図である。
【図１２】同移動式店舗の吊り金具の説明図である。
【図１３】（Ａ）は同移動式店舗のベース板及び筒状部材の説明図、（Ｂ）は同移動式店舗の筒状部材の説明図である。
【符号の説明】
１０：移動式店舗、１１：床枠、１２〜１５：水平床部材、１６、１６ａ：梁、１６ｂ〜１６ｄ：大引、１７：根太、１８：床板材、１９：床枠体、２０〜２９柱部材、２９ａ：胴縁、２９ｂ：屋根板材、３０：天井枠体、３１：天井枠、３２〜３５：水平天井部材、３６、３７：梁、３８、３８ａ、３８ｂ：母屋、３９〜４２：吊り金具、４３：取付部、４４：フック孔、４５：プレート、４６：筒状部材、４６ａ：ボルト、４７、４８：取付孔、４９：取付部、５０：筒状部、５１：孔、５２：ベース板、５３：ジャッキねじ、５４：二重ボルト、５５〜５８：壁板、５９：引違い戸、６０、６１：シャッター装置、６２、６３：シャッター、６４、６５：シャッターボックス、６６：ガラス窓、６７：内壁板、６８：天井板、６９：冷凍陳列台、７０：冷暖房機、７０ａ：室外機、７１：架台、７２：テント、７３：看板
【図１】
2004183398.tif 000003
【図２】
2004183398.tif 000004
【図３】
2004183398.tif 000005
【図４】
2004183398.tif 000006
【図５】
2004183398.tif 000007
【図６】
2004183398.tif 000008
【図７】
2004183398.tif 000009
【図８】
2004183398.tif 000010
【図９】
2004183398.tif 000011
【図１０】
2004183398.tif 000012
【図１１】
2004183398.tif 000013
【図１２】
2004183398.tif 000014
【図１３】
2004183398.tif 000015